(57)【要約】  ＤＣ−ＤＣ電圧コンバータ内の不平衡電流状態及び過電流状態を判断するための検出システムを有する電源供給システムが開示される。前記検出システムは、第１電圧及び平均電圧に基づいて前記ＤＣ−ＤＣ電圧コンバータ内の第１スイッチバンクと第２スイッチバンクとの間の不平衡電流状態、又は、前記第１電圧に基づいて前記第１スイッチバンクの過電流状態を示す第１診断電圧を出力する検出回路を有する。前記検出回路は、第２電圧及び前記平均電圧に基づいて前記ＤＣ−ＤＣ電圧コンバータ内の前記第１スイッチバンクと第２スイッチバンクとの間の不平衡電流状態、又は、前記第２電圧に基づいて前記第２スイッチバンクの過電流状態を示す第２診断電圧を出力する。  【選択図】      図１
2019515620.tif 000002
【特許請求の範囲】
【請求項１】
ＤＣ−ＤＣ電圧コンバータ内の不平衡電流状態及び過電流状態を判断するための検出システムであって、
前記ＤＣ−ＤＣ電圧コンバータは、第１スイッチバンク及び第２スイッチバンクを備え、前記第１スイッチバンクは第１抵抗に選択的に電気的に直列で結合される第１スイッチ及び第２スイッチを備え、前記第２スイッチバンクは第２抵抗に選択的に電気的に直列で結合される第３スイッチ及び第４スイッチを備えてなるものであり、
前記第１スイッチバンクに電気的に結合された前記第１抵抗に印加された第１電圧を受信する検出回路を含んでなり、
前記検出回路は、前記第２スイッチバンクに電気的に結合された前記第２抵抗に印加された第２電圧を受信し、
前記検出回路は、前記第１電圧及び第２電圧に基づいて平均電圧を決定し、
前記検出回路は、前記第１電圧及び前記平均電圧に基づいて前記ＤＣ−ＤＣ電圧コンバータ内の前記第１スイッチバンクと第２スイッチバンクとの間の不平衡電流状態、または、前記第１電圧に基づいて前記第１スイッチバンクの過電流状態を示す第１診断電圧を出力し、
前記検出回路は、前記第２電圧及び前記平均電圧に基づいて前記ＤＣ−ＤＣ電圧コンバータ内の前記第１スイッチバンクと第２スイッチバンクとの間の不平衡電流状態、又は、前記第２電圧に基づいて前記第２スイッチバンクの過電流状態を示す第２診断電圧を出力する、検出システム。
【請求項２】
前記検出回路は、第１増幅器、第２増幅器、第３増幅器、平均回路、第１比較器、第２比較器及び第１ＯＲロジッグゲートをさらに含み、
前記第１増幅器は、前記第１抵抗に印加された前記第１電圧の受信に応答して第１増幅電圧を出力し、
前記第２増幅器は、前記第２抵抗に印加された前記第２電圧の受信に応答して第２増幅電圧を出力し、
前記平均回路は、前記第１増幅器及び前記第２増幅器それぞれからの前記第１増幅電圧及び前記第２増幅電圧の受信に応答して平均電圧を出力し、
前記第３増幅器は、前記平均回路からの前記平均電圧及び前記第１増幅器からの前記第１増幅電圧の受信に応答して第３増幅電圧を出力するが、前記第３増幅電圧は前記平均電圧と前記第１増幅電圧との差に比例し、
前記第１比較器は、前記第３増幅器からの前記第３増幅電圧と第１基準電圧の受信に応答して第１モニタリング電圧を出力するが、前記第１モニタリング電圧は前記第３増幅電圧が前記第１基準電圧以上である場合、第１ロジッグ電圧レベルを有し、前記第３増幅電圧が前記第１基準電圧以上であることは、前記ＤＣ−ＤＣ電圧コンバータ内の前記第１スイッチバンクと第２スイッチバンクとの間の不平衡電流状態を示し、
前記第２比較器は、前記第１増幅器からの前記第１増幅電圧と第２基準電圧の受信に応答して第２モニタリング電圧を出力するが、前記第２モニタリング電圧は前記第１増幅電圧が前記第２基準電圧以上である場合、前記第１ロジッグ電圧レベルを有し、前記第１増幅電圧が前記第２基準電圧以上であることは、前記第１スイッチバンクの前記過電流状態を示し、
前記第１ＯＲロジッグゲートは、前記第１モニタリング及び第２モニタリング電圧に基づいて前記第１診断電圧を出力するが、前記第１診断電圧は、前記第１モニタリング電圧が前記第１ロジッグ電圧レベルを有する場合、又は、前記第２モニタリング電圧が前記第１ロジッグ電圧レベルを有する場合、前記ＤＣ−ＤＣ電圧コンバータ内の前記第１スイッチバンクと第２スイッチバンクとの間の不平衡電流状態、又は、前記第１スイッチバンクの前記過電流状態を示す前記第１ロジッグ電圧レベルを有する、請求項１に記載の検出システム。
【請求項３】
前記第３増幅電圧は、前記第３増幅器の第１電圧ゲインを乗じた、前記平均電圧と前記第１増幅電圧との差に対応する、請求項２に記載の検出システム。
【請求項４】
前記検出回路は、第４増幅器、第３比較器、第４比較器及び第２ＯＲロジッグゲートをさらに含み、
前記第４増幅器は、前記平均回路からの前記平均電圧及び前記第２増幅器からの前記第２増幅電圧の受信に応答して第４増幅電圧を出力するが、前記第４増幅電圧は、前記平均電圧と前記第２増幅電圧との差に比例し、
前記第３比較器は、前記第４増幅器からの前記第４増幅電圧及び前記第１基準電圧の受信に応答して第３モニタリング電圧を出力するが、前記第３モニタリング電圧は、前記第４増幅電圧が前記第１基準電圧以上であれば、前記第１ロジッグ電圧レベルを有し、前記第４増幅電圧が前記第１基準電圧以上であることは、前記ＤＣ−ＤＣ電圧コンバータ内の前記第１スイッチバンクと第２スイッチバンクとの間の不平衡電流状態を示し、
前記第４比較器は、前記第２増幅器からの前記第２増幅電圧及び前記第２基準電圧の受信に応答して第４モニタリング電圧を出力するが、前記第４モニタリング電圧は、前記第２増幅電圧が前記第２基準電圧以上であれば、前記第１ロジッグ電圧レベルを有し、前記第２増幅電圧が前記第２基準電圧以上であることは、前記第２スイッチバンクの前記過電流状態を示し、
前記第２ＯＲロジッグゲートは、前記第３モニタリング及び第４モニタリング電圧に基づいて前記第２診断電圧を出力するが、前記第２診断電圧は、前記第３モニタリング電圧が前記第１ロジッグ電圧レベルを有する場合、又は、前記第４モニタリング電圧が前記第１ロジッグ電圧レベルを有する場合、前記ＤＣ−ＤＣ電圧コンバータ内の前記第１スイッチバンクと第２スイッチバンクとの間の不平衡電流状態、又は、前記第２スイッチバンクの前記過電流状態を示す前記第１ロジッグ電圧レベルを有する、請求項２に記載の検出システム。
【請求項５】
前記第４増幅電圧は、前記平均電圧と前記第２増幅電圧との差に対応する、請求項４に記載の検出システム。
【請求項６】
前記第１増幅器は、前記第１スイッチバンクの前記第１スイッチ及び第２スイッチのそれぞれが第１時間に閉動作状態を有する場合、前記第１電圧を受信する、請求項２に記載の検出システム。
【請求項７】
前記第２増幅器は、前記第１スイッチバンクの前記第１スイッチ及び第２スイッチのそれぞれが第１時間に前記閉動作状態を有する場合、前記第２電圧を受信する、請求項６に記載の検出システム。
【請求項８】
電源供給システムであって、
第１スイッチバンク、第２スイッチバンク、第１抵抗、第２抵抗、第１電気コイル、第２電気コイル、第１パワースイッチ、第２パワースイッチ、第１バッテリー及び第２バッテリーを有するＤＣ−ＤＣ電圧コンバータを備えてなり、
前記第１スイッチバンクは、前記第１抵抗に選択的に電気的に直列で結合される第１スイッチ及び第２スイッチを備え、
前記第２スイッチバンクは、前記第２抵抗に選択的に電気的に直列で結合される第３スイッチ及び第４スイッチを備え、
前記第１電気コイルは、第１端及び第２端を備え、前記第１電気コイルの前記第１端は前記第１スイッチと第２スイッチとの間に配置された第１電気ノードに電気的に結合され、前記第１電気コイルの前記第２端は第２電気ノードに電気的に結合され、
前記第２電気コイルは、第１端及び第２端を備え、前記第２電気コイルの前記第１端は前記第３スイッチと第４スイッチとの間に配置された第３電気ノードに電気的に結合され、前記第２電気コイルの前記第２端は前記第２電気ノードに電気的に結合され、
第１パワースイッチは、第１端子及び第２端子を備え、前記第１パワースイッチの前記第１端子は前記第１バッテリーに電気的に結合され、前記第１パワースイッチの前記第２端子は前記第１スイッチバンクの前記第１スイッチと前記第２スイッチバンクの前記第３スイッチとに電気的に結合され、
第２パワースイッチは、第１端子及び第２端子を備え、前記第２パワースイッチの前記第１端子は前記第２電気ノードに電気的に結合され、前記第２パワースイッチの前記第２端子は前記第２バッテリーに電気的に結合され、
前記第１スイッチバンクに電気的に結合された前記第１抵抗に印加された第１電圧を受信する検出回路をさらに含み、
前記検出回路は、前記第２スイッチバンクに電気的に結合された前記第２抵抗に印加された第２電圧を受信し、
前記検出回路は、前記第１電圧及び第２電圧に基づいて平均電圧を決定し、
前記検出回路は、前記第１電圧及び前記平均電圧に基づいて前記ＤＣ−ＤＣ電圧コンバータ内の前記第１スイッチバンクと第２スイッチバンクとの間の不平衡電流状態、又は、前記第１電圧に基づいて前記第１スイッチバンクの過電流状態を示す第１診断電圧を出力し、
前記検出回路は、前記第２電圧及び前記平均電圧に基づいて前記ＤＣ−ＤＣ電圧コンバータ内の前記第１スイッチバンクと第２スイッチバンクとの間の不平衡電流状態、又は、前記第２電圧に基づいて前記第２スイッチバンクの過電流状態を示す第２診断電圧を出力する、電源供給システム。
【請求項９】
前記検出回路は、第１増幅器、第２増幅器、第３増幅器、平均回路、第１比較器、第２比較器及び第１ＯＲロジッグゲートをさらに含み、
前記第１増幅器は、前記第１抵抗に印加された前記第１電圧の受信に応答して第１増幅電圧を出力し、
前記第２増幅器は、前記第２抵抗に印加された前記第２電圧の受信に応答して第２増幅電圧を出力し、
前記平均回路は、前記第１増幅器及び前記第２増幅器それぞれからの前記第１増幅電圧及び前記第２増幅電圧の受信に応答して平均電圧を出力し、
前記第３増幅器は、前記平均回路からの前記平均電圧及び前記第１増幅器からの前記第１増幅電圧の受信に応答して第３増幅電圧を出力するが、前記第３増幅電圧は前記平均電圧と前記第１増幅電圧との差に比例し、
前記第１比較器は、前記第３増幅器からの前記第３増幅電圧及び第１基準電圧の受信に応答して第１モニタリング電圧を出力するが、前記第１モニタリング電圧は、前記第３増幅電圧が前記第１基準電圧以上である場合、第１ロジッグ電圧レベルを有し、前記第３増幅電圧が前記第１基準電圧以上であることは、前記ＤＣ−ＤＣ電圧コンバータ内の前記第１スイッチバンクと第２スイッチバンクとの間の不平衡電流状態を示し、
前記第２比較器は、前記第１増幅器からの前記第１増幅電圧及び第２基準電圧の受信に応答して第２モニタリング電圧を出力するが、前記第２モニタリング電圧は、前記第１増幅電圧が前記第２基準電圧以上である場合、前記第１ロジッグ電圧レベルを有し、前記第１増幅電圧が前記第２基準電圧以上であることは、前記第１スイッチバンクの前記過電流状態を示し、
前記第１ＯＲロジッグゲートは、前記第１モニタリング及び第２モニタリング電圧に基づいて前記第１診断電圧を出力するが、前記第１診断電圧は、前記第１モニタリング電圧が前記第１ロジッグ電圧レベルを有する場合、又は、前記第２モニタリング電圧が前記第１ロジッグ電圧レベルを有する場合、前記ＤＣ−ＤＣ電圧コンバータ内の前記第１スイッチバンクと第２スイッチバンクとの間の不平衡電流状態、又は、前記第１スイッチバンクの前記過電流状態を示す前記第１ロジッグ電圧レベルを有する、請求項８に記載の電源供給システム。
【請求項１０】
前記第３増幅電圧は、前記第３増幅器の第１電圧ゲインを乗じた、前記平均電圧と前記第１増幅電圧との差に対応する、請求項９に記載の電源供給システム。
【請求項１１】
前記検出回路は、第４増幅器、第３比較器、第４比較器及び第２ＯＲロジッグゲート；をさらに含み、
前記第４増幅器は、前記平均回路からの前記平均電圧及び前記第２増幅器からの前記第２増幅電圧の受信に応答して第４増幅電圧を出力するが、前記第４増幅電圧は、前記平均電圧と前記第２増幅電圧との差に比例し、
前記第３比較器は、前記第４増幅器からの前記第４増幅電圧及び前記第１基準電圧の受信に応答して第３モニタリング電圧を出力するが、前記第３モニタリング電圧は、前記第４増幅電圧が前記第１基準電圧以上であれば、前記第１ロジッグ電圧レベルを有し、前記第４増幅電圧が前記第１基準電圧以上であることは、前記ＤＣ−ＤＣ電圧コンバータ内の前記第１スイッチバンクと第２スイッチバンクとの間の不平衡電流状態を示し、
前記第４比較器は、前記第２増幅器からの前記第２増幅電圧及び前記第２基準電圧の受信に応答して第４モニタリング電圧を出力するが、前記第４モニタリング電圧は、前記第２増幅電圧が前記第２基準電圧以上であれば、前記第１ロジッグ電圧レベルを有し、前記第２増幅電圧が前記第２基準電圧以上であることは、前記第２スイッチバンクの前記過電流状態を示し、
前記第２ＯＲロジッグゲートは、前記第３モニタリング及び第４モニタリング電圧に基づいて前記第２診断電圧を出力するが、前記第２診断電圧は、前記第３モニタリング電圧が前記第１ロジッグ電圧レベルを有する場合、又は、前記第４モニタリング電圧が前記第１ロジッグ電圧レベルを有する場合、前記ＤＣ−ＤＣ電圧コンバータ内の前記第１スイッチバンクと第２スイッチバンクとの間の不平衡電流状態、又は、前記第２スイッチバンクの前記過電流状態を示す前記第１ロジッグ電圧レベルを有する、請求項９に記載の電源供給システム。
【請求項１２】
前記第４増幅電圧は、前記平均電圧と前記第２増幅電圧との差に対応する、請求項１１に記載の電源供給システム。
【請求項１３】
前記第１増幅器は、前記第１スイッチバンクの前記第１スイッチ及び第２スイッチのそれぞれが第１時間に閉動作状態を有する場合、前記第１電圧を受信する、請求項９に記載の電源供給システム。
【請求項１４】
前記第２増幅器は、前記第１スイッチバンクの前記第１スイッチ及び第２スイッチのそれぞれが前記第１時間に前記閉動作状態を有する場合、前記第２電圧を受信する、請求項１３に記載の電源供給システム。
【請求項１５】
マイクロコントローラーをさらに含み、
前記マイクロコントローラーは、前記第１ロジッグ電圧レベルを有する前記第１診断電圧に応答して前記第１パワースイッチを開動作状態に切り換えるために第１制御信号を生成し、
前記マイクロコントローラーは、前記第１ロジッグ電圧レベルを有する前記第２診断電圧に応答して前記第２パワースイッチを開動作状態に切り換えるために第２制御信号を生成する、請求項１０に記載の電源供給システム。
【発明の詳細な説明】
【技術分野】
【０００１】
本発明は、ＤＣ−ＤＣ電圧コンバータを含む電源供給システム及び検出システムに関し、より詳しくは、前記ＤＣ−ＤＣ電圧コンバータ内の不平衡電流状態及び過電流状態を判断するための検出システム及び前記検出システムを含む電源供給システムに関する。
【０００２】
本出願は、２０１７年１月２３日出願の米国特許出願第１５／４１３，１８５号に基づく優先権を主張し、該当出願の明細書及び図面に開示された内容は、すべて本出願に援用される。
【背景技術】
【０００３】
電源供給システムは、ＤＣ電圧を生成するためＤＣ−ＤＣ電圧コンバータを使用する。しかし、前記電源供給システムは、前記ＤＣ−ＤＣ電圧コンバータ内の第１及び第２スイッチバンクのいずれか１つの過電流状態を検出できなければ、前記ＤＣ−ＤＣ電圧コンバータ内の前記第１スイッチバンクと第２スイッチバンクとの不平衡電流状態を判断することができなかった。
【発明の概要】
【発明が解決しようとする課題】
【０００４】
本発明の一目的は、ＤＣ−ＤＣ電圧コンバータ内の不平衡電流状態及び過電流状態を判断するための電源供給システム及び検出システムを提供することである。
【０００５】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【０００６】
本発明者らは、全体スイッチング周期をそれそれのスイッチバンクのインターリーブアーム（ｉｎｔｅｒｌｅａｖｅｄ ａｒｍ）の個数で分割することで、インターリーブ電流（ｉｎｔｅｒｌｅａｖｅｄ ｃｕｒｒｅｎｔ）が従う多相のスイッチバンクを有するＤＣ−ＤＣ電圧コンバータが備えられた電源供給システムを使用した。一実施例において、該多相システムは、それぞれ３つのアームを有する第１及び第２スイッチバンクを用いて、前記第１及び第２スイッチバンクのそれぞれは１つの電流センシング抵抗を有する。また、前記電源供給システムは、前記第１及び第２スイッチバンクのいずれか１つの過電流状態を検出できなくても、前記第１及び第２スイッチバンクの他の１つから、前記ＤＣ−ＤＣ電圧コンバータの前記第１スイッチバンクと第２スイッチバンクとの不平衡電流状態を判断できる検出システムを含む。
【０００７】
本発明の一実施例によれば、ＤＣ−ＤＣ電圧コンバータ内の不平衡電流状態及び過電流状態を判断するための検出システムが提供される。前記ＤＣ−ＤＣ電圧コンバータは、第１スイッチバンク及び第２スイッチバンクを有する。前記第１スイッチバンクは、第１抵抗に選択的に電気的に結合される第１スイッチ及び第２スイッチを有する。前記第２スイッチバンクは、第２抵抗に選択的に電気的に結合される第３及び第４スイッチを有する。前記検出システムは、前記第１抵抗に印加された第１電圧を受信する検出回路を含む。前記第１抵抗は、前記第１スイッチバンクに電気的に直列で結合される。前記検出回路は、前記第２抵抗に印加された第２電圧を受信する。前記第２抵抗は、前記第２スイッチバンクに電気的に直列で結合される。前記検出回路は、前記第１電圧及び第２電圧に基づいて平均電圧を決定する。前記検出回路は、前記第１電圧及び前記平均電圧に基づいて前記ＤＣ−ＤＣ電圧コンバータ内の前記第１スイッチバンクと第２スイッチバンクとの間の不平衡電流状態、または、前記第１電圧に基づいて前記第１スイッチバンクの過電流状態を示す第１診断電圧を出力する。前記検出回路は、前記第２電圧及び前記平均電圧に基づいて前記ＤＣ−ＤＣ電圧コンバータ内の前記第１スイッチバンクと第２スイッチバンクとの間の不平衡電流状態、または、前記第２電圧に基づいて前記第２スイッチバンクの過電流状態を示す第２診断電圧を出力する。
【０００８】
本発明の他の実施例によれば、電源供給システムが提供される。前記電源供給システムは、第１スイッチバンク、第２スイッチバンク、第１抵抗、第２抵抗、第１電気コイル、第２電気コイル、第１パワースイッチ、第２パワースイッチ、第１バッテリー及び第２バッテリーを有するＤＣ−ＤＣ電圧コンバータを含む。前記第１スイッチバンクは、前記第１抵抗に選択的に電気的に直列で結合される第１スイッチ及び第２スイッチを有する。前記第２スイッチバンクは、前記第２抵抗に選択的に電気的に直列で結合される第３及び第４スイッチを有する。前記第１電気コイルは、第１端及び第２端を有する。前記第１電気コイルの前記第１端は、前記第１スイッチと第２スイッチとの間に配置された第１電気ノードに電気的に結合される。前記第１電気コイルの前記第２端は、第２電気ノードに電気的に結合される。前記第２電気コイルは、第１端及び第２端を有する。前記第２電気コイルの前記第１端は、前記第３スイッチと第４スイッチとの間に配置された第３電気ノードに電気的に結合される。前記第２電気コイルの前記第２端は、前記第２電気ノードに電気的に結合される。前記電源供給システムは、第１端子及び第２端子を有する第１パワースイッチをさらに含む。前記第１パワースイッチの前記第１端子は、前記第１バッテリーに電気的に結合される。前記第１パワースイッチの前記第２端子は、前記第１スイッチバンクの前記第１スイッチと前記第２スイッチバンクの前記第３スイッチとに電気的に結合される。前記電源供給システムは、第１端子及び第２端子を有する第２パワースイッチをさらに含む。前記第２パワースイッチの前記第１端子は、前記第２電気ノードに電気的に結合される。前記第２パワースイッチの前記第２端子は、前記第２バッテリーに電気的に結合される。前記電源供給システムは、前記第１抵抗に印加された第１電圧を受信する検出回路をさらに含む。前記第１抵抗は、前記第１スイッチバンクに電気的に結合される。前記検出回路は、前記第２抵抗に印加された第２電圧を受信する。前記第２抵抗は、前記第２スイッチバンクに電気的に結合される。前記検出回路は、前記第１電圧及び第２電圧に基づいて平均電圧を決定する。前記検出回路は、前記第１電圧及び前記平均電圧に基づいて前記ＤＣ−ＤＣ電圧コンバータ内の前記第１スイッチバンクと第２スイッチバンクとの間の不平衡電流状態、または、前記第１電圧に基づいて前記第１スイッチバンクの過電流状態を示す第１診断電圧を出力する。前記検出回路は、前記第２電圧及び前記平均電圧に基づいて前記ＤＣ−ＤＣ電圧コンバータ内の前記第１スイッチバンクと第２スイッチバンクとの間の不平衡電流状態、または、前記第２電圧に基づいて前記第２スイッチバンクの過電流状態を示す第２診断電圧を出力する。
【発明の効果】
【０００９】
本発明の実施例によれば、ＤＣ−ＤＣ電圧コンバータ内の不平衡電流状態及び過電流状態を判断することができる。
【００１０】
本発明の効果は、上記の効果に限定されず、言及されていない他の効果は請求範囲の記載から当業者に明確に理解できるであろう。
【図面の簡単な説明】
【００１１】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図１】本発明の一実施例による電源供給システムを示した図である。
【図２】図１の電源供給システムで用いられるＤＣ−ＤＣ電圧コンバータのための検出システムのブロック図である。
【図３】図２の検出システムの概略的な回路図である。
【図４】ＤＣ−ＤＣ電圧コンバータ内の第１スイッチバンクの過電流状態を示すためのトリップ電圧に対する第１増幅電圧のグラフである。
【図５】ＤＣ−ＤＣ電圧コンバータ内の第１スイッチバンクと第２スイッチバンクとの不平衡電流状態を示すためのトリップ電圧に対する第３及び第４増幅電圧のグラフである。
【発明を実施するための形態】
【００１２】
図１を参照すれば、本発明の一実施例による電源供給システム１０が提供される。前記電源供給システム１０は、バッテリー３０、ＤＣ−ＤＣ電圧コンバータ３２、バッテリー３４、検出システム３６及びマイクロコントローラ３８を含む。前記電源供給システム１０の長所は、前記ＤＣ−ＤＣ電圧コンバータ３２内の第１及び第２スイッチバンクのいずれか１つの過電流状態を検出できなくても、前記システム１０が平均電圧値を用いて前記ＤＣ−ＤＣ電圧コンバータ３２内の第１スイッチバンクと第２スイッチバンクとの不平衡電流状態を判断するために前記検出システム３６を用いることである。
【００１３】
定義するため、第２信号が第１信号に基づく場合、前記第２信号は前記第１信号から直接生成できるか、または、中間信号を用いて前記第１信号から間接的に生成できる。
【００１４】
前記バッテリー３０は、前記ＤＣ−ＤＣ電圧コンバータ３２に第１動作電圧を提供する。前記バッテリー３０は、正極端子６０及び負極端子６２を含む。前記正極端子６０は、電気ノード１７０及びパワースイッチ９０の第１端子に電気的に結合される。前記負極端子６２は、電気ノード１７８及び前記バッテリー３４の負極端子２１２に電気的に結合される。一実施例においては、前記バッテリー３０は高電圧リチウムイオンバッテリーである。
【００１５】
前記ＤＣ−ＤＣ電圧コンバータ３２は、前記バッテリー３０からの第１動作電圧を、バック（ｂｕｃｋ）動作モードの間、前記バッテリー３４に印加される第２動作電圧に変換する。また、前記ＤＣ−ＤＣ電圧コンバータ３２は、前記バッテリー３４からの前記第２動作電圧を、ブースト（ｂｏｏｓｔ）動作モードの間、前記バッテリー３０に印加される前記第１動作電圧に変換する。前記ＤＣ−ＤＣ電圧コンバータ３２は、パワースイッチ９０、キャパシタ９２、９４、スイッチ１００、１０２、１０４、１０６、１０８、１１０、１１２、１１４、１１６、１１８、１２０、１２２、抵抗１３０、１３２、電気コイル１４０、１４２、１４４、１４６、１４８、１５０、パワースイッチ１６０、キャパシタ１６２、１６４及び電気ノード１７０、１７２、１７４、１７６、１７７、１７８、１８０、１８２、１８４、１８６、１８８、１９０、１９２を含む。一実施例において、前記スイッチ１００、１０２、１０４、１０６、１０８、１１０、１１２、１１４、１１６、１１８、１２０、１２２のそれぞれはトランジスタである。
【００１６】
前記パワースイッチ９０は、第１端子及び第２端子を有する。前記パワースイッチ９０の第１端子は、前記バッテリー３０の前記正極端子６０に電気的に結合される。前記パワースイッチ９０の第２端子は、前記電気ノード１７２及び第１〜第６スイッチバンクのそれぞれの電気スイッチ１００、１０４、１０８、１１２、１１６、１２０に電気的に結合される。前記パワースイッチ９０は、前記マイクロコントローラ３８からの制御信号Ｃ１３に応答して開動作状態から閉動作状態に切り換えられる。また、前記パワースイッチ９０は、前記マイクロコントローラ３８が前記制御信号Ｃ１３の生成を中断する場合、閉動作状態から開動作状態に切り換えられる。
【００１７】
前記キャパシタ９２は、前記電気ノード１７０と前記電気ノード１７８（電気接地に結合される）との間に電気的に結合される。また、前記キャパシタ９２は、前記バッテリー３０の前記正極端子６０と前記負極端子６２との間に電気的に結合される。前記キャパシタ９４は、前記電気ノード１７２と前記電気ノード１７８（電気接地に結合される）との間に電気的に結合される。
【００１８】
前記スイッチ１００、１０２は、第１スイッチバンクを構成する。前記スイッチ１００、１０２は、選択的に前記抵抗１３０に直列で電気的に結合される。また、前記電気ノード１７４は、前記スイッチ１００と前記スイッチ１０２との間に配置される。前記電気コイル１４０は、前記電気ノード１７４と前記電気ノード１９０との間に電気的に結合される。前記キャパシタ１６２は、前記電気ノード１９０と前記電気ノード１７８（電気接地に結合される）との間に電気的に結合される。動作中に、前記マイクロコントローラ３８が前記スイッチ１００、１０２によってそれぞれ受信される制御信号Ｃ１、Ｃ２を生成する場合、前記スイッチ１００、１０２はそれぞれ閉動作状態に切り換えられて前記電気コイル１４０を励起（ｅｎｅｒｇｉｚｅ）させ、前記抵抗１３０を通じた電流の流れを許容する。
【００１９】
前記スイッチ１０４、１０６は、第２スイッチバンクを構成する。前記スイッチ１０４、１０６は、選択的に前記抵抗１３０に直列で電気的に結合される。また、前記電気ノード１８０は、前記スイッチ１０４と前記スイッチ１０６との間に配置される。前記電気コイル１４２は、前記電気ノード１８０と前記電気ノード１９０との間に電気的に結合される。動作中に、前記マイクロコントローラ３８が前記スイッチ１０４、１０６によってそれぞれ受信される制御信号Ｃ３、Ｃ４を生成する場合、前記スイッチ１０４、１０６はそれぞれ閉動作状態に切り換えられて前記電気コイル１４２を励起させ、前記抵抗１３０を通じた電流の流れを許容する。
【００２０】
前記スイッチ１０８、１１０は、第３スイッチバンクを構成する。前記スイッチ１０８、１１０は、選択的に前記抵抗１３０に直列で電気的に結合される。また、前記電気ノード１８２は、前記スイッチ１０８と前記スイッチ１１０との間に配置される。前記電気コイル１４４は、前記電気ノード１８２と前記電気ノード１９０との間に電気的に結合される。動作中に、前記マイクロコントローラ３８が前記スイッチ１０８、１１０によってそれぞれ受信される制御信号Ｃ５、Ｃ６を生成する場合、前記スイッチ１０８、１１０はそれぞれ閉動作状態に切り換えられて前記電気コイル１４４を励起させ、前記抵抗１３０を通じた電流の流れを許容する。
【００２１】
前記スイッチ１１２、１１４は、第４スイッチバンクを構成する。前記スイッチ１１２、１１４は、選択的に前記抵抗１３２に直列で電気的に結合される。また、前記電気ノード１８４は、前記スイッチ１１２と前記スイッチ１１４との間に配置される。前記電気コイル１４６は、前記電気ノード１８４と前記電気ノード１９０との間に電気的に結合される。動作中に、前記マイクロコントローラ３８が前記スイッチ１１２、１１４によってそれぞれ受信される制御信号Ｃ７、Ｃ８を生成する場合、前記スイッチ１１２、１１４はそれぞれ閉動作状態に切り換えられて前記電気コイル１４６を励起させ、前記抵抗１３２を通じた電流の流れを許容する。
【００２２】
前記スイッチ１１６、１１８は、第５スイッチバンクを構成する。前記スイッチ１１６、１１８は、選択的に前記抵抗１３２に直列で電気的に結合される。また、前記電気ノード１８６は、前記スイッチ１１６と前記スイッチ１１８との間に配置される。前記電気コイル１４８は、前記電気ノード１８６と前記電気ノード１９０との間に電気的に結合される。動作中に、前記マイクロコントローラ３８が前記スイッチ１１６、１１８によってそれぞれ受信される制御信号Ｃ９、Ｃ１０を生成する場合、前記スイッチ１１６、１１８はそれぞれ閉動作状態に切り換えられて前記電気コイル１４８を励起させ、前記抵抗１３２を通じた電流の流れを許容する。
【００２３】
前記スイッチ１２０、１２２は、第６スイッチバンクを構成する。前記スイッチ１２０、１２２は、選択的に前記抵抗１３２に直列で電気的に結合される。また、前記電気ノード１８８は、前記スイッチ１２０と前記スイッチ１２２との間に配置される。前記電気コイル１５０は、前記電気ノード１８８と前記電気ノード１９０との間に電気的に結合される。動作中に、前記マイクロコントローラ３８が前記スイッチ１２０、１２２によってそれぞれ受信される制御信号Ｃ１１、Ｃ１２を生成する場合、前記スイッチ１２０、１２２はそれぞれ閉動作状態に切り換えられて前記電気コイル１５０を励起させ、前記抵抗１３２を通じた電流の流れを許容する。
【００２４】
動作中に、前記ＤＣ−ＤＣ電圧コンバータ３２の前記第１〜第６スイッチバンクは前記マイクロコントローラ３８によって順次活性化される。
【００２５】
前記パワースイッチ１６０は、第１端子及び第２端子を有する。前記パワースイッチ１６０の前記第１端子は、前記電気ノード１９０及び前記電気コイル１４０、１４２、１４４、１４６、１４８、１５０に電気的に結合される。前記パワースイッチ１６０の前記第２端子は、前記電気ノード１９２、前記キャパシタ１６４及び前記バッテリー３４の前記正極端子２１０に電気的に結合される。前記キャパシタ１６２は、前記電気ノード１９０と前記電気ノード１７８（電気接地に結合される）との間に電気的に結合される。前記パワースイッチ１６０は、前記マイクロコントローラ３８からの制御信号Ｃ１４に応答して開動作状態から閉動作状態に切り換えられる。また、前記パワースイッチ１６０は、前記マイクロコントローラ３８が前記制御信号Ｃ１４の生成を中断する場合、前記閉動作状態から前記開動作状態に切り換えられる。
【００２６】
前記バッテリー３４は、前記ＤＣ−ＤＣ電圧コンバータ３２に第２動作電圧を提供する。前記バッテリー３４は、正極端子２１０及び負極端子２１２を含む。前記正極端子２１０は、前記電気ノード１９２及び前記パワースイッチ１６０の前記第２端子に電気的に結合される。前記負極端子２１２は、前記電気ノード１７８及び前記バッテリー３０の前記負極端子６２に電気的に結合される。一実施例において、前記バッテリー３４は、低電圧鉛蓄電池（例えば、１２ボルトバッテリー）である。
【００２７】
以下、図１〜図３を参照して、前記ＤＣ−ＤＣ電圧コンバータ３２の不平衡電流状態及び過電流状態を判断するための本発明の一実施例による検出システム３６を説明する。簡略にするため、以下では、前記検出システム３６が前記抵抗１３０に結合された前記第１スイッチバンク（例えば、スイッチ１００、１０２）と前記抵抗１３２に結合された前記第４スイッチバンク（例えば、スイッチ１１２、１１４）との間の不平衡電流状態、及び前記第１スイッチバンクと前記第４スイッチバンクの過電流状態を判断することを説明する。勿論、検出回路２３０は、前記第４、第５及び第６スイッチバンクに対して前記第１、第２及び第３スイッチバンクのうちいずれか１つとの間の不平衡電流状態、及び前記第１〜第６スイッチバンクの過電流状態を判断することもできる。
【００２８】
前記検出システム３６は、増幅器２４０、２４２、平均回路２４４、増幅器２４６、比較器２４８、２５０、ＯＲロジッグゲート２５２、増幅器２５４、比較器２５６、２５７及びＯＲロジッグゲート２５８を有する検出回路２３０を含む。前記検出回路２３０の長所は、前記ＤＣ−ＤＣ電圧コンバータ３２内の第１及び第４スイッチバンクのいずれか１つの過電流状態を検出できなくても、前記回路２３０が平均電圧値を用いて前記ＤＣ−ＤＣ電圧コンバータ３２内の前記第１スイッチバンクと第４スイッチバンクとの不平衡電流状態を判断できることである。
【００２９】
前記増幅器２４０は、前記ＤＣ−ＤＣ電圧コンバータ３２の前記電気ノード１７６に電気的に結合され、前記抵抗１３０（図１に示される）に印加された第１電圧の受信に応答して第１増幅電圧Ｖ＿１Ａを出力する。前記抵抗１３０に印加された前記第１電圧は、前記抵抗１３０を通じて流れるセンシング電流Ｉ＿ＳＡを示す。前記増幅器２４０は、演算増幅器２６０、２６２、抵抗２６４、２６６、２６８、２７０、２７２、２７４及び電気ノード２８０、２８２を含む。
【００３０】
前記演算増幅器２６０は、非反転端子、反転端子及び出力端子を含む。前記抵抗２６４は、前記電気ノード１７６と前記演算増幅器２６４の前記非反転端子との間に電気的に結合され、前記抵抗１３０に印加された前記第１電圧を受信する。前記抵抗１３０に印加された前記第１電圧は、前記スイッチ１００、１０２のそれぞれが閉動作状態である場合に前記第１スイッチバンクを通じて流れる電流の量（例えば、センシング電流Ｉ＿ＳＡの量）を示す。前記抵抗２６６は、電気接地と前記演算増幅器２６０の前記反転端子との間に電気的に結合される。前記抵抗２６８は、前記演算増幅器２６０の前記反転端子と前記演算増幅器２６０の出力端子との間に電気的に結合される。
【００３１】
前記演算増幅器２６２は、非反転端子、反転端子及び出力端子を含む。前記抵抗２７２は、電圧源（例えば、５ボルトＤＣ基準電圧）と前記電気ノード２８０との間に電気的に結合される。前記抵抗２７４は、前記電気ノード２８０と電気接地との間に電気的に結合される。前記電気ノード２８０は、前記演算増幅器２６２の前記非反転端子に電気的に結合される。前記演算増幅器２６２の前記反転端子は、前記演算増幅器２６２の前記出力端子に電気的に結合される。前記抵抗２７０は、前記演算増幅器２６２の前記出力端子と前記演算増幅器２６０の前記非反転端子との間に電気的に結合される。
【００３２】
前記演算増幅器２６０の前記出力端子は、電気ノード２８２に電気的に結合される。前記増幅器２４０は、前記抵抗１３０に印加された前記第１電圧の受信に応答して、前記演算増幅器２６０の前記出力端子から前記第１増幅電圧Ｖ＿１Ａを出力する。
【００３３】
前記増幅器２４２は、前記ＤＣ−ＤＣ電圧コンバータ３２の前記電気ノード１７７に電気的に結合され、前記抵抗１３２（図１に示される）に印加された第２電圧の受信に応答して第２増幅電圧Ｖ＿１Ｂを出力する。前記抵抗１３２に印加された前記第２電圧は、前記抵抗１３２を通じて流れるセンシング電流Ｉ＿ＳＢを示す。前記増幅器２４２は、演算増幅器３６０、３６２、抵抗３６４、３６６、３６８、３７０、３７２、３７４及び電気ノード３８０、３８２を含む。
【００３４】
前記演算増幅器３６０は、非反転端子、反転端子及び出力端子を含む。前記抵抗３６４は、前記電気ノード１７７と前記演算増幅器３６４の前記非反転端子との間に電気的に結合され、前記抵抗１３２に印加された前記第２電圧を受信する。前記抵抗１３２に印加された前記第２電圧は、前記スイッチ１１２、１１４のそれぞれが閉動作状態である場合に前記第４スイッチバンクを通じて流れる電流の量（例えば、センシング電流Ｉ＿ＳＢの量）を示す。前記抵抗３６６は、電気接地と前記演算増幅器３６０の前記反転端子との間に電気的に結合される。前記抵抗３６８は、前記演算増幅器３６０の前記反転端子と前記演算増幅器３６０の出力端子との間に電気的に結合される。
【００３５】
前記演算増幅器３６２は、非反転端子、反転端子及び出力端子を含む。前記抵抗３７２は、電圧源（例えば、５ボルトＤＣ基準電圧）と前記電気ノード３８０との間に電気的に結合される。前記抵抗３７４は、前記電気ノード３８０と電気接地との間に電気的に結合される。前記電気ノード３８０は、前記演算増幅器３６２の前記非反転端子に電気的に結合される。前記演算増幅器３６２の前記反転端子は、前記演算増幅器３６２の前記出力端子に電気的に結合される。前記抵抗３７０は、前記演算増幅器３６２の前記出力端子と前記演算増幅器３６０の前記非反転端子との間に電気的に結合される。
【００３６】
前記演算増幅器３６０の前記出力端子は、電気ノード３８２に電気的に結合される。前記増幅器２４２は、前記抵抗１３２に印加された前記第２電圧の受信に応答して、前記演算増幅器３６０の前記出力端子から前記第２増幅電圧Ｖ＿１Ｂを出力する。
【００３７】
図２及び図３を参照すれば、前記平均回路２４４は、前記増幅器２４０、２４２に電気的に結合され、前記増幅器２４０、２４２から前記第１及び第２増幅電圧Ｖ＿１Ａ、Ｖ＿１Ｂの個別的な受信に応答して平均電圧Ｖ＿ＡＶＧを出力する。前記平均回路２４４は、抵抗４３０、４３２、バッファ４３４及び電気ノード４３６、４３８を含む。前記バッファ４３４は、非反転端子、反転端子及び出力端子を含む。前記抵抗４３０は、前記電気ノード２８２（前記演算増幅器２６０の前記出力端子に電気的に結合される）と電気ノード４３６（前記バッファ４３４の非反転端子に電気的に結合される）との間に電気的に結合される。前記抵抗４３２は、前記電気ノード４３６と前記電気ノード３８２（前記演算増幅器３６０の前記出力端子に電気的に結合される）との間に電気的に結合される。前記抵抗４３０、４３２は、電気的に直列で結合されて、電圧分配回路である。前記バッファ４３４の前記反転端子は、前記バッファ４３４の前記出力端子及び前記電気ノード４３８に電気的に結合される。前記バッファ４３４は、その前記出力端子から前記平均電圧Ｖ＿ＡＶＧを出力する。
【００３８】
前記増幅器２４６は、前記電気ノード２８２、４３８に電気的に結合され、前記平均回路２４４からの前記平均電圧Ｖ＿ＡＶＧ及び前記増幅器２４０からの前記第１増幅電圧Ｖ＿１Ａの受信に応答して第３増幅電圧Ｖ＿２Ａを出力する。前記第３増幅電圧Ｖ＿２Ａは、前記平均電圧Ｖ＿ＡＶＧと前記第１増幅電圧Ｖ＿１Ａとの差に比例する。前記増幅器２４６は、抵抗４５０、４５２、４５４、４５６、演算増幅器４６０及び電気ノード４６２、４６６を含む。
【００３９】
前記抵抗４５０は、前記電気ノード２８２と前記演算増幅器４６０の反転端子との間に電気的に結合される。前記抵抗４５２は、前記演算増幅器４６０の前記反転端子と前記演算増幅器４６０（電気ノード４６６に電気的に結合される）の出力端子との間に電気的に結合される。前記抵抗４５４は、前記電気ノード４３８と前記電気ノード４６４（前記演算増幅器４６０の前記非反転端子にも電気的に結合される）との間に電気的に結合される。前記抵抗４５６は、電気ノード４６４と電気接地との間に電気的に結合される。
【００４０】
前記演算増幅器４６０は、方程式：Ｖ＿２Ａ＝ＡＶ２（Ｖ＿ＡＶＧ−Ｖ＿１Ａ）に対応する前記第３増幅電圧Ｖ＿２Ａを出力する。ＡＶ２は前記演算増幅器４６０のゲインである。前記第３増幅電圧Ｖ＿２Ａは、前記比較器２４８の第１入力端子によって受信される。
【００４１】
前記比較器２４８は、第１及び第２入力端子と出力端子を有する。前記比較器２４８の前記第１入力端子は、前記増幅器２４６の前記演算増幅器４６０の前記出力端子に電気的に結合され、前記増幅器２４６から前記第３増幅電圧Ｖ＿２Ａを受信する。前記比較器２４８の前記第２入力端子は、前記マイクロコントローラ３８に電気的に結合され、前記マイクロコントローラ３８から第１基準電圧ＴＲＩＰ＿ＬＥＶＥＬ１を受信する。前記比較器２４８は、前記増幅器２４６からの前記第３増幅電圧Ｖ＿２Ａと前記第１基準電圧ＴＲＩＰ＿ＬＥＶＥＬ１との比較に基づいて、その出力端子に第１モニタリング電圧を出力する。特に、前記比較器２４８は、前記第３増幅電圧Ｖ＿２Ａが前記第１基準電圧ＴＲＩＰ＿ＬＥＶＥＬ１より大きいか又は同じである場合、第１ロジッグ電圧レベル（例えば、２進数「１」に対応する高いロジッグ電圧レベル）を有する第１モニタリング電圧を出力する。前記第３増幅電圧Ｖ＿２Ａが前記第１基準電圧ＴＲＩＰ＿ＬＥＶＥＬ１より大きいか又は同じであるとは、前記ＤＣ−ＤＣ電圧コンバータ３２内の前記第１スイッチバンクと第４スイッチバンクとの間の不平衡電流状態を示す。また、前記比較器２４８は、前記第３増幅電圧Ｖ＿２Ａが前記第１基準電圧ＴＲＩＰ＿ＬＥＶＥＬ１より小さい場合、第２ロジッグ電圧レベル（例えば、２進数「０」に対応する低いロジッグ電圧レベル）を有する前記第１モニタリング電圧を出力する。前記第３増幅電圧Ｖ＿２Ａが前記第１基準電圧ＴＲＩＰ＿ＬＥＶＥＬ１より小さいとは、前記ＤＣ−ＤＣ電圧コンバータ３２内の前記第１スイッチバンクと第４スイッチバンクとの間の平衡電流状態を示す。
【００４２】
前記比較器２５０は、第１及び第２入力端子と出力端子を有する。前記比較器２５０の前記第１入力端子は、前記増幅器２４０の前記演算増幅器２６０の前記出力端子に電気的に結合され、前記増幅器２４０から前記第１増幅電圧Ｖ＿１Ａを受信する。前記比較器２５０の前記第２入力端子は、前記マイクロコントローラ３８に電気的に結合され、前記マイクロコントローラ３８から第２基準電圧ＴＲＩＰ＿ＬＥＶＥＬ２を受信する。前記比較器２５０は、前記増幅器２４０からの前記第１増幅電圧Ｖ＿１Ａと前記第２基準電圧ＴＲＩＰ＿ＬＥＶＥＬ２との比較に基づいて、その出力端子に第２モニタリング電圧を出力する。特に、前記比較器２５０は、前記第１増幅電圧Ｖ＿１Ａが前記第２基準電圧ＴＲＩＰ＿ＬＥＶＥＬ２より大きいか又は同じである場合、第１ロジッグ電圧レベル（例えば、２進数「１」に対応する高いロジッグ電圧レベル）を有する第２モニタリング電圧を出力する。前記第１増幅電圧Ｖ＿１Ａが前記第２基準電圧ＴＲＩＰ＿ＬＥＶＥＬ２より大きいか又は同じであるとは、前記ＤＣ−ＤＣ電圧コンバータ３２内の前記第１スイッチバンクの過電流状態を示す。また、前記比較器２５０は、前記第１増幅電圧Ｖ＿１Ａが前記第２基準電圧ＴＲＩＰ＿ＬＥＶＥＬ２より小さい場合、第２ロジッグ電圧レベル（例えば、２進数「０」に対応する低いロジッグ電圧レベル）を有する前記第２モニタリング電圧を出力する。前記第１増幅電圧Ｖ＿１Ａが前記第２基準電圧ＴＲＩＰ＿ＬＥＶＥＬ２より小さいとは、前記ＤＣ−ＤＣ電圧コンバータ３２内の前記第１スイッチバンクの許容可能な電流状態（ａｃｃｅｐｔａｂｌｅ ｃｕｒｒｅｎｔ ｃｏｎｄｉｔｉｏｎ）を示す。
【００４３】
前記ＯＲロジッグゲート２５２は、第１及び第２入力端子と出力端子を有する。前記ＯＲロジッグゲート２５２の前記第１入力端子は、前記比較器２４８の前記出力端子に電気的に結合され、前記比較器２４８から前記第１モニタリング電圧を受信する。前記ＯＲロジッグゲート２５２の前記第２入力端子は、前記比較器２５０の前記出力端子に電気的に結合され、前記比較器２５０から前記第２モニタリング電圧を受信する。前記ＯＲロジッグゲート２５２の前記出力端子は、前記マイクロコントローラ３８に電気的に結合される。前記ＯＲロジッグゲート２５２は、前記第１モニタリング電圧が前記第１ロジッグ電圧レベルを有する場合、または、前記第２モニタリング電圧が前記第１ロジッグ電圧レベルを有する場合、前記第１ロジッグ電圧レベル（例えば、２進数「１」に対応する高いロジッグ電圧レベル）を有する第１診断電圧Ｖ＿ＤＩＡＧ１を出力する。前記第１モニタリング電圧が前記第１ロジッグ電圧レベルを有するか又は前記第２モニタリング電圧が前記第１ロジッグ電圧レベルを有するとは、前記ＤＣ−ＤＣ電圧コンバータ３２内の前記第１スイッチバンクと第４スイッチバンクとの間の不平衡電流状態、それとも、前記第１スイッチバンクの過電流状態を示す。また、前記ＯＲロジッグゲート２５２は、前記第１モニタリング電圧が前記第２ロジッグ電圧レベルを有し、且つ、前記第２モニタリング電圧が前記第２ロジッグ電圧レベルを有する場合、第２ロジッグ電圧レベル（例えば、２進数「０」に対応する低いロジッグ電圧レベル）を有する前記第１診断電圧Ｖ＿ＤＩＡＧ１を出力する。前記第１モニタリング電圧が前記第２ロジッグ電圧レベルを有し、且つ、前記第２モニタリング電圧が前記第２ロジッグ電圧レベルを有するとは、前記ＤＣ−ＤＣ電圧コンバータ３２内の前記第１スイッチバンクと第４スイッチバンクとの間の平衡電流状態及び前記第１スイッチバンクの許容可能な電流状態を示す。
【００４４】
前記増幅器２５４は、前記電気ノード３８２、４６４に電気的に結合され、前記平均回路２４４からの前記平均電圧Ｖ＿ＡＶＧ及び前記増幅器２４２からの前記第２増幅電圧Ｖ＿１Ｂの受信に応答して第４増幅電圧Ｖ＿２Ｂを出力する。前記第４増幅電圧Ｖ＿２Ｂは、前記平均電圧Ｖ＿ＡＶＧと前記第２増幅電圧Ｖ＿１Ｂとの差に比例する。前記増幅器２５４は、抵抗４５４、４５６、４７０、４７２、演算増幅器４８０及び電気ノード４８２を含む。
【００４５】
前記抵抗４５４は、前記電気ノード４３８と前記電気ノード４６４（前記演算増幅器４８０の前記非反転端子にも電気的に結合される）との間に電気的に結合される。前記抵抗４５６は、電気ノード４６４と電気接地との間に電気的に結合される。
【００４６】
前記演算増幅器４８０は、方程式：Ｖ＿２Ｂ＝ＡＶ２（Ｖ＿ＡＶＧ−Ｖ＿１Ｂ）に対応する前記第４増幅電圧Ｖ＿２Ｂを出力する。ＡＶ２は前記演算増幅器４８０のゲインである。前記第４増幅電圧Ｖ＿２Ｂは、前記比較器２５６の第１入力端子によって受信される。
【００４７】
前記比較器２５６は、第１及び第２入力端子と出力端子を有する。前記比較器２５６の前記第１入力端子は、前記増幅器２５４の前記演算増幅器４８０の前記出力端子に電気的に結合され、前記増幅器２５４から前記第４増幅電圧Ｖ＿２Ｂを受信する。前記比較器２５６の前記第２入力端子は、前記マイクロコントローラ３８に電気的に結合され、前記マイクロコントローラ３８から前記第１基準電圧ＴＲＩＰ＿ＬＥＶＥＬ１を受信する。前記比較器２５６は、前記増幅器２５４からの前記第４増幅電圧Ｖ＿２Ｂと前記第１基準電圧ＴＲＩＰ＿ＬＥＶＥＬ１との比較に基づいて、その出力端子に第３モニタリング電圧を出力する。特に、前記比較器２５６は、前記第４増幅電圧Ｖ＿２Ｂが前記第１基準電圧ＴＲＩＰ＿ＬＥＶＥＬ１より大きいか又は同じである場合、第１ロジッグ電圧レベル（例えば、２進数「１」に対応する高いロジッグ電圧レベル）を有する第３モニタリング電圧を出力する。前記第４増幅電圧Ｖ＿２Ｂが前記第１基準電圧ＴＲＩＰ＿ＬＥＶＥＬ１より大きいか又は同じであるとは、前記ＤＣ−ＤＣ電圧コンバータ３２内の前記第１スイッチバンクと第４スイッチバンクとの間の不平衡電流状態を示す。また、前記比較器２５６は、前記第４増幅電圧Ｖ＿２Ｂが前記第１基準電圧ＴＲＩＰ＿ＬＥＶＥＬ１より小さい場合、第２ロジッグ電圧レベル（例えば、２進数「０」に対応する低いロジッグ電圧レベル）を有する前記第３モニタリング電圧を出力する。前記第４増幅電圧Ｖ＿２Ｂが前記第１基準電圧ＴＲＩＰ＿ＬＥＶＥＬ１より小さいとは、前記ＤＣ−ＤＣ電圧コンバータ３２内の前記第１スイッチバンクと第４スイッチバンクとの間の平衡電流状態を示す。
【００４８】
前記比較器２５７は、第１及び第２入力端子と出力端子を有する。前記比較器２５７の前記第１入力端子は、前記増幅器２４２の前記演算増幅器３６０の前記出力端子に電気的に結合され、前記増幅器２４２から前記第２増幅電圧Ｖ＿１Ｂを受信する。前記比較器２５７の前記第２入力端子は、前記マイクロコントローラ３８に電気的に結合され、前記マイクロコントローラ３８から前記第２基準電圧ＴＲＩＰ＿ＬＥＶＥＬ２を受信する。前記比較器２５７は、前記増幅器２４２からの前記第２増幅電圧Ｖ＿１Ｂと前記第２基準電圧ＴＲＩＰ＿ＬＥＶＥＬ２との比較に基づいて、その出力端子に第４モニタリング電圧を出力する。特に、前記比較器２５７は、前記第２増幅電圧Ｖ＿１Ｂが前記第２基準電圧ＴＲＩＰ＿ＬＥＶＥＬ２より大きいか又は同じである場合、第１ロジッグ電圧レベル（例えば、２進数「１」に対応する高いロジッグ電圧レベル）を有する第４モニタリング電圧を出力する。前記第２増幅電圧Ｖ＿１Ｂが前記第２基準電圧ＴＲＩＰ＿ＬＥＶＥＬ２より大きいか又は同じであるとは、前記ＤＣ−ＤＣ電圧コンバータ３２内の前記第４スイッチバンクの過電流状態を示す。また、前記比較器２５７は、前記第２増幅電圧Ｖ＿１Ｂが前記第２基準電圧ＴＲＩＰ＿ＬＥＶＥＬ２より小さい場合、第２ロジッグ電圧レベル（例えば、２進数「０」に対応する低いロジッグ電圧レベル）を有する前記第２モニタリング電圧を出力する。前記第２増幅電圧Ｖ＿１Ｂが前記第２基準電圧ＴＲＩＰ＿ＬＥＶＥＬ２より小さいとは、前記ＤＣ−ＤＣ電圧コンバータ３２内の前記第４スイッチバンクの許容可能な電流状態を示す。
【００４９】
前記ＯＲロジッグゲート２５８は、第１及び第２入力端子と出力端子を有する。前記ＯＲロジッグゲート２５８の前記第１入力端子は、前記比較器２５６の前記出力端子に電気的に結合され、前記比較器２５６から前記第３モニタリング電圧を受信する。前記ＯＲロジッグゲート２５８の前記第２入力端子は、前記比較器２５７の前記出力端子に電気的に結合され、前記比較器２５７から前記第４モニタリング電圧を受信する。前記ＯＲロジッグゲート２５８の前記出力端子は、前記マイクロコントローラ３８に電気的に結合される。前記ＯＲロジッグゲート２５８は、前記第３モニタリング電圧が前記第１ロジッグ電圧レベルを有する場合、または、前記第４モニタリング電圧が前記第１ロジッグ電圧レベルを有する場合、前記第１ロジッグ電圧レベル（例えば、２進数「１」に対応する高いロジッグ電圧レベル）を有する第２診断電圧Ｖ＿ＤＩＡＧ２を出力する。前記第３モニタリング電圧が前記第１ロジッグ電圧レベルを有するか又は前記第４モニタリング電圧が前記第１ロジッグ電圧レベルを有するとは、前記ＤＣ−ＤＣ電圧コンバータ３２内の前記第１スイッチバンクと第４スイッチバンクとの間の不平衡電流状態、それとも、前記第４スイッチバンクの過電流状態を示す。また、前記ＯＲロジッグゲート２５８は、前記第３モニタリング電圧が前記第２ロジッグ電圧レベルを有し、且つ、前記第４モニタリング電圧が前記第２ロジッグ電圧レベルを有する場合、第２ロジッグ電圧レベル（例えば、２進数「０」に対応する低いロジッグ電圧レベル）を有する前記第２診断電圧Ｖ＿ＤＩＡＧ２を出力する。前記第３モニタリング電圧が前記第２ロジッグ電圧レベルを有し、且つ、前記第４モニタリング電圧が前記第２ロジッグ電圧レベルを有するとは、前記ＤＣ−ＤＣ電圧コンバータ３２内の前記第１スイッチバンクと第４スイッチバンクとの間の平衡電流状態及び前記第４スイッチバンクの許容可能な電流状態を示す。
【００５０】
図１〜図３を参照すれば、前記マイクロコントローラ３８は、前記スイッチ１００、１０２、１０４、１０６、１０８、１１０、１１２、１１４、１１６、１１８、１２０、１２２、パワースイッチ９０、１６０及び前記ＯＲロジッグゲート２５２、２５８に動作可能に結合される。前記マイクロコントローラ３８は、マイクロプロセッサ５００及び前記マイクロプロセッサ５００に動作可能に結合されたメモリ装置５０２を含む。前記マイクロプロセッサ５００は、本明細書に説明された関連する段階を具現するため、前記メモリ装置５０２に保存されたソフトウェア命令を実行するようにプログラミングされる。また、前記メモリ装置５０２は、計算された値と所定の値を保存する。
【００５１】
前記マイクロコントローラ３８は、前記ＤＣ−ＤＣ電圧コンバータ３２内の第１〜第６スイッチバンクのための前記制御信号を順次生成する。また、前記マイクロコントローラ３８は、前記第１ロジッグ電圧レベルを有する前記第１診断電圧Ｖ＿ＤＩＡＧ１に応答して、前記パワースイッチ９０を開動作状態に切り換えるための第１制御信号を生成する。また、前記マイクロコントローラ３８は、前記第１ロジッグ電圧レベルを有する前記第１診断電圧Ｖ＿ＤＩＡＧ２に応答して、前記パワースイッチ１６０を前記開動作状態に切り換えるための第２制御信号を生成する。
【００５２】
図４を参照すれば、前記ＤＣ−ＤＣ電圧コンバータ３２の第１スイッチバンクの過電流状態を判断するためのトリップ電流に対する第１増幅電圧Ｖ＿１Ａを示したグラフ６００が示されている。図示のように、ブーストモード動作中に、前記第１増幅電圧Ｖ＿１Ａが前記ＴＲＩＰ＿ＬＥＶＥＬ２電圧より大きい場合、前記第１スイッチバンクと前記抵抗１３０を通じて流れる前記電流Ｉ＿ＳＡは過電流状態である。
【００５３】
図５を参照すれば、前記ＤＣ−ＤＣ電圧コンバータ３２の前記第１スイッチバンクと第４スイッチバンクとの不平衡電流状態を判断するためのトリップ電流に対する第３及び第４増幅電圧Ｖ＿２Ａ、Ｖ＿２Ｂを示したグラフ６５０が示されている。図示のように、前記第３増幅電圧Ｖ＿２Ａが前記ＴＲＩＰ＿ＬＥＶＥＬ１電圧より大きい場合、前記第１スイッチバンクと前記抵抗１３０を通じて流れる前記電流Ｉ＿ＳＡは、前記第４スイッチバンクと前記抵抗１３２を通じて流れる電流Ｉ＿ＳＢより大きく、これは前記第１スイッチバンクと第４スイッチバンクとの間の不平衡電流状態を示す。また、前記第４増幅電圧Ｖ＿２Ｂが前記ＴＲＩＰ＿ＬＥＶＥＬ１電圧より大きい場合、前記第４スイッチバンクと前記抵抗１３２を通じて流れる前記電流Ｉ＿ＳＢは、前記第１スイッチバンクと前記抵抗１３０を通じて流れる電流Ｉ＿ＳＡより大きく、これは前記第１スイッチバンクと第４スイッチバンクとの間の不平衡電流状態を示す。
【００５４】
上述した前記電源供給システムは、他のシステムに比べて優れた長所を提供する。特に、前記電源供給システムは、前記ＤＣ−ＤＣ電圧コンバータの第１及び第２スイッチバンクのいずれか１つの過電流状態を検出できなくても、平均電圧値を用いて前記ＤＣ−ＤＣ電圧コンバータ内の第１スイッチバンクと第２スイッチバンクとの不平衡電流状態を判断できる検出システムを提供する。
【００５５】
以上、本発明を単に制限された数の実施例に基づいて説明したが、本発明はこのような実施例に限定されるものではなく、本発明の精神と範囲から逸脱しない範囲内の変形例、代案例、代替例または等価例が可能であることは言うまでのない。また、多様な実施例が上述されたが、本発明はこれら実施例の一部のみを含むこともあり得ることを理解せねばならない。したがって、本発明の特許請求の範囲は上述した説明によって制限されるものではない。上述した本発明の実施例は装置及び方法のみを通じて具現されるものではなく、本発明の実施例の構成に対応する機能を実現するプログラムまたはそのプログラムが記録された記録媒体を通じても具現でき、このような具現は上述された実施例の記載から本発明が属する技術分野の専門家であれば容易に具現できるであろう。
【図１】
2019515620.tif 000003
【図２】
2019515620.tif 000004
【図３】
2019515620.tif 000005
【図４】
2019515620.tif 000006
【図５】
2019515620.tif 000007
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
ＤＣ−ＤＣ電圧コンバータ内の不平衡電流状態及び過電流状態を判断するための検出システムであって、
前記ＤＣ−ＤＣ電圧コンバータは、第１スイッチバンク及び第２スイッチバンクを備えてなり、
前記第１スイッチバンクに電気的に結合された第１抵抗に印加された第１電圧を受信する検出回路を含んでなり、
前記検出回路は、前記第２スイッチバンクに電気的に結合された第２抵抗に印加された第２電圧を受信し、
前記検出回路は、前記第１電圧及び第２電圧に基づいて平均電圧を決定し、
前記検出回路は、前記第１電圧及び前記平均電圧に基づいて前記ＤＣ−ＤＣ電圧コンバータ内の前記第１スイッチバンクと第２スイッチバンクとの間の不平衡電流状態、又は、前記第１電圧に基づいて前記第１スイッチバンクの過電流状態を示す第１診断電圧を出力し、
前記検出回路は、前記第２電圧及び前記平均電圧に基づいて前記ＤＣ−ＤＣ電圧コンバータ内の前記第１スイッチバンクと第２スイッチバンクとの間の不平衡電流状態、又は、前記第２電圧に基づいて前記第２スイッチバンクの過電流状態を示す第２診断電圧を出力する、検出システム。
【請求項２】
前記第１スイッチバンクは、前記第１抵抗に選択的に電気的に直列で結合される第１スイッチ及び第２スイッチを備え、
前記第２スイッチバンクは、前記第２抵抗に選択的に電気的に直列で結合される第３スイッチ及び第４スイッチを備え、
前記検出回路は、第１増幅器、第２増幅器、第３増幅器、平均回路、第１比較器、第２比較器及び第１ＯＲロジッグゲートをさらに含み、
前記第１増幅器は、前記第１抵抗に印加された前記第１電圧の受信に応答して第１増幅電圧を出力し、
前記第２増幅器は、前記第２抵抗に印加された前記第２電圧の受信に応答して第２増幅電圧を出力し、
前記平均回路は、前記第１増幅器及び前記第２増幅器それぞれからの前記第１増幅電圧及び前記第２増幅電圧の受信に応答して平均電圧を出力し、
前記第３増幅器は、前記平均回路からの前記平均電圧及び前記第１増幅器からの前記第１増幅電圧の受信に応答して第３増幅電圧を出力するが、前記第３増幅電圧は前記平均電圧と前記第１増幅電圧との差に比例し、
前記第１比較器は、前記第３増幅器からの前記第３増幅電圧と第１基準電圧の受信に応答して第１モニタリング電圧を出力するが、前記第１モニタリング電圧は前記第３増幅電圧が前記第１基準電圧以上である場合、第１ロジッグ電圧レベルを有し、前記第３増幅電圧が前記第１基準電圧以上であることは、前記ＤＣ−ＤＣ電圧コンバータ内の前記第１スイッチバンクと第２スイッチバンクとの間の不平衡電流状態を示し、
前記第２比較器は、前記第１増幅器からの前記第１増幅電圧と第２基準電圧の受信に応答して第２モニタリング電圧を出力するが、前記第２モニタリング電圧は前記第１増幅電圧が前記第２基準電圧以上である場合、前記第１ロジッグ電圧レベルを有し、前記第１増幅電圧が前記第２基準電圧以上であることは、前記第１スイッチバンクの前記過電流状態を示し、
前記第１ＯＲロジッグゲートは、前記第１モニタリング及び第２モニタリング電圧に基づいて前記第１診断電圧を出力するが、前記第１診断電圧は、前記第１モニタリング電圧が前記第１ロジッグ電圧レベルを有する場合、又は、前記第２モニタリング電圧が前記第１ロジッグ電圧レベルを有する場合、前記ＤＣ−ＤＣ電圧コンバータ内の前記第１スイッチバンクと第２スイッチバンクとの間の不平衡電流状態、又は、前記第１スイッチバンクの前記過電流状態を示す前記第１ロジッグ電圧レベルを有する、請求項１に記載の検出システム。
【請求項３】
前記第３増幅電圧は、前記第３増幅器の第１電圧ゲインを乗じた、前記平均電圧と前記第１増幅電圧との差に対応する、請求項２に記載の検出システム。
【請求項４】
前記検出回路は、第４増幅器、第３比較器、第４比較器及び第２ＯＲロジッグゲートをさらに含み、
前記第４増幅器は、前記平均回路からの前記平均電圧及び前記第２増幅器からの前記第２増幅電圧の受信に応答して第４増幅電圧を出力するが、前記第４増幅電圧は、前記平均電圧と前記第２増幅電圧との差に比例し、
前記第３比較器は、前記第４増幅器からの前記第４増幅電圧及び前記第１基準電圧の受信に応答して第３モニタリング電圧を出力するが、前記第３モニタリング電圧は、前記第４増幅電圧が前記第１基準電圧以上であれば、前記第１ロジッグ電圧レベルを有し、前記第４増幅電圧が前記第１基準電圧以上であることは、前記ＤＣ−ＤＣ電圧コンバータ内の前記第１スイッチバンクと第２スイッチバンクとの間の不平衡電流状態を示し、
前記第４比較器は、前記第２増幅器からの前記第２増幅電圧及び前記第２基準電圧の受信に応答して第４モニタリング電圧を出力するが、前記第４モニタリング電圧は、前記第２増幅電圧が前記第２基準電圧以上であれば、前記第１ロジッグ電圧レベルを有し、前記第２増幅電圧が前記第２基準電圧以上であることは、前記第２スイッチバンクの前記過電流状態を示し、
前記第２ＯＲロジッグゲートは、前記第３モニタリング及び第４モニタリング電圧に基づいて前記第２診断電圧を出力するが、前記第２診断電圧は、前記第３モニタリング電圧が前記第１ロジッグ電圧レベルを有する場合、又は、前記第４モニタリング電圧が前記第１ロジッグ電圧レベルを有する場合、前記ＤＣ−ＤＣ電圧コンバータ内の前記第１スイッチバンクと第２スイッチバンクとの間の不平衡電流状態、又は、前記第２スイッチバンクの前記過電流状態を示す前記第１ロジッグ電圧レベルを有する、請求項２に記載の検出システム。
【請求項５】
前記第４増幅電圧は、前記平均電圧と前記第２増幅電圧との差に対応する、請求項４に記載の検出システム。
【請求項６】
前記第１増幅器は、前記第１スイッチバンクの前記第１スイッチ及び第２スイッチのそれぞれが第１時間に閉動作状態を有する場合、前記第１電圧を受信する、請求項２に記載の検出システム。
【請求項７】
前記第２増幅器は、前記第１スイッチバンクの前記第１スイッチ及び第２スイッチのそれぞれが第１時間に前記閉動作状態を有する場合、前記第２電圧を受信する、請求項６に記載の検出システム。
【請求項８】
電源供給システムであって、
第１スイッチバンク、第２スイッチバンク、第１抵抗、第２抵抗、第１電気コイル、第２電気コイル、第１パワースイッチ、第２パワースイッチ、第１バッテリー及び第２バッテリーを有するＤＣ−ＤＣ電圧コンバータ；並びに
前記第１抵抗に印加された第１電圧を受信する検出回路；を備えてなり、
前記第１スイッチバンクは、前記第１抵抗に選択的に電気的に直列で結合され、
前記第２スイッチバンクは、前記第２抵抗に選択的に電気的に直列で結合され、
前記第１電気コイルは、前記第１スイッチバンク及び前記第２パワースイッチに電気的に結合され、
前記第２電気コイルは、前記第２スイッチバンク及び前記第２パワースイッチに電気的に結合され、
前記第１パワースイッチは、前記第１バッテリーと前記第１スイッチバンク及び第２スイッチバンクとに電気的に結合され、
前記第２パワースイッチは、前記第１電気コイル及び前記第２電気コイルと前記第２バッテリーとに電気的に結合され、
前記検出回路は、前記第２抵抗に印加された第２電圧を受信し、
前記検出回路は、前記第１電圧及び第２電圧に基づいて平均電圧を決定し、
前記検出回路は、前記第１電圧及び前記平均電圧に基づいて前記ＤＣ−ＤＣ電圧コンバータ内の前記第１スイッチバンクと第２スイッチバンクとの間の不平衡電流状態、又は、前記第１電圧に基づいて前記第１スイッチバンクの過電流状態を示す第１診断電圧を出力し、
前記検出回路は、前記第２電圧及び前記平均電圧に基づいて前記ＤＣ−ＤＣ電圧コンバータ内の前記第１スイッチバンクと第２スイッチバンクとの間の不平衡電流状態、又は、前記第２電圧に基づいて前記第２スイッチバンクの過電流状態を示す第２診断電圧を出力する、電源供給システム。
【請求項９】
前記第１スイッチバンクは、前記第１抵抗に選択的に電気的に直列で結合される第１スイッチ及び第２スイッチを備え、
前記第２スイッチバンクは、前記第２抵抗に選択的に電気的に直列で結合される第３スイッチ及び第４スイッチを備え、
前記第１電気コイルは、第１端及び第２端を備え、前記第１電気コイルの前記第１端は前記第１スイッチと第２スイッチとの間に配置された第１電気ノードに電気的に結合され、前記第１電気コイルの前記第２端は第２電気ノードに電気的に結合され、
前記第２電気コイルは、第１端及び第２端を備え、前記第２電気コイルの前記第１端は前記第３スイッチと第４スイッチとの間に配置された第３電気ノードに電気的に結合され、前記第２電気コイルの前記第２端は前記第２電気ノードに電気的に結合され、
前記第１パワースイッチは、第１端子及び第２端子を備え、前記第１パワースイッチの前記第１端子は前記第１バッテリーに電気的に結合され、前記第１パワースイッチの前記第２端子は前記第１スイッチバンクの前記第１スイッチと前記第２スイッチバンクの前記第３スイッチとに電気的に結合され、
前記第２パワースイッチは、第１端子及び第２端子を備え、前記第２パワースイッチの前記第１端子は前記第２電気ノードに電気的に結合され、前記第２パワースイッチの前記第２端子は前記第２バッテリーに電気的に結合される、請求項８に記載の電源供給システム。
【請求項１０】
前記検出回路は、第１増幅器、第２増幅器、第３増幅器、平均回路、第１比較器、第２比較器及び第１ＯＲロジッグゲートをさらに含み、
前記第１増幅器は、前記第１抵抗に印加された前記第１電圧の受信に応答して第１増幅電圧を出力し、
前記第２増幅器は、前記第２抵抗に印加された前記第２電圧の受信に応答して第２増幅電圧を出力し、
前記平均回路は、前記第１増幅器及び前記第２増幅器それぞれからの前記第１増幅電圧及び前記第２増幅電圧の受信に応答して平均電圧を出力し、
前記第３増幅器は、前記平均回路からの前記平均電圧及び前記第１増幅器からの前記第１増幅電圧の受信に応答して第３増幅電圧を出力するが、前記第３増幅電圧は前記平均電圧と前記第１増幅電圧との差に比例し、
前記第１比較器は、前記第３増幅器からの前記第３増幅電圧及び第１基準電圧の受信に応答して第１モニタリング電圧を出力するが、前記第１モニタリング電圧は、前記第３増幅電圧が前記第１基準電圧以上である場合、第１ロジッグ電圧レベルを有し、前記第３増幅電圧が前記第１基準電圧以上であることは、前記ＤＣ−ＤＣ電圧コンバータ内の前記第１スイッチバンクと第２スイッチバンクとの間の不平衡電流状態を示し、
前記第２比較器は、前記第１増幅器からの前記第１増幅電圧及び第２基準電圧の受信に応答して第２モニタリング電圧を出力するが、前記第２モニタリング電圧は、前記第１増幅電圧が前記第２基準電圧以上である場合、前記第１ロジッグ電圧レベルを有し、前記第１増幅電圧が前記第２基準電圧以上であることは、前記第１スイッチバンクの前記過電流状態を示し、
前記第１ＯＲロジッグゲートは、前記第１モニタリング及び第２モニタリング電圧に基づいて前記第１診断電圧を出力するが、前記第１診断電圧は、前記第１モニタリング電圧が前記第１ロジッグ電圧レベルを有する場合、又は、前記第２モニタリング電圧が前記第１ロジッグ電圧レベルを有する場合、前記ＤＣ−ＤＣ電圧コンバータ内の前記第１スイッチバンクと第２スイッチバンクとの間の不平衡電流状態、又は、前記第１スイッチバンクの前記過電流状態を示す前記第１ロジッグ電圧レベルを有する、請求項９に記載の電源供給システム。
【請求項１１】
前記第３増幅電圧は、前記第３増幅器の第１電圧ゲインを乗じた、前記平均電圧と前記第１増幅電圧との差に対応する、請求項１０に記載の電源供給システム。
【請求項１２】
前記検出回路は、第４増幅器、第３比較器、第４比較器及び第２ＯＲロジッグゲートをさらに含み、
前記第４増幅器は、前記平均回路からの前記平均電圧及び前記第２増幅器からの前記第２増幅電圧の受信に応答して第４増幅電圧を出力するが、前記第４増幅電圧は、前記平均電圧と前記第２増幅電圧との差に比例し、
前記第３比較器は、前記第４増幅器からの前記第４増幅電圧及び前記第１基準電圧の受信に応答して第３モニタリング電圧を出力するが、前記第３モニタリング電圧は、前記第４増幅電圧が前記第１基準電圧以上であれば、前記第１ロジッグ電圧レベルを有し、前記第４増幅電圧が前記第１基準電圧以上であることは、前記ＤＣ−ＤＣ電圧コンバータ内の前記第１スイッチバンクと第２スイッチバンクとの間の不平衡電流状態を示し、
前記第４比較器は、前記第２増幅器からの前記第２増幅電圧及び前記第２基準電圧の受信に応答して第４モニタリング電圧を出力するが、前記第４モニタリング電圧は、前記第２増幅電圧が前記第２基準電圧以上であれば、前記第１ロジッグ電圧レベルを有し、前記第２増幅電圧が前記第２基準電圧以上であることは、前記第２スイッチバンクの前記過電流状態を示し、
前記第２ＯＲロジッグゲートは、前記第３モニタリング及び第４モニタリング電圧に基づいて前記第２診断電圧を出力するが、前記第２診断電圧は、前記第３モニタリング電圧が前記第１ロジッグ電圧レベルを有する場合、又は、前記第４モニタリング電圧が前記第１ロジッグ電圧レベルを有する場合、前記ＤＣ−ＤＣ電圧コンバータ内の前記第１スイッチバンクと第２スイッチバンクとの間の不平衡電流状態、又は、前記第２スイッチバンクの前記過電流状態を示す前記第１ロジッグ電圧レベルを有する、請求項１０に記載の電源供給システム。
【請求項１３】
前記第４増幅電圧は、前記平均電圧と前記第２増幅電圧との差に対応する、請求項１２に記載の電源供給システム。
【請求項１４】
前記第１増幅器は、前記第１スイッチバンクの前記第１スイッチ及び第２スイッチのそれぞれが第１時間に閉動作状態を有する場合、前記第１電圧を受信する、請求項１０に記載の電源供給システム。
【請求項１５】
前記第２増幅器は、前記第１スイッチバンクの前記第１スイッチ及び第２スイッチのそれぞれが前記第１時間に前記閉動作状態を有する場合、前記第２電圧を受信する、請求項１４に記載の電源供給システム。
【請求項１６】
マイクロコントローラー；をさらに含み、
前記マイクロコントローラーは、前記第１ロジッグ電圧レベルを有する前記第１診断電圧に応答して前記第１パワースイッチを開動作状態に切り換えるために第１制御信号を生成し、
前記マイクロコントローラーは、前記第１ロジッグ電圧レベルを有する前記第２診断電圧に応答して前記第２パワースイッチを開動作状態に切り換えるために第２制御信号を生成する、請求項１１に記載の電源供給システム。
【国際調査報告】
2019515620.tif 000008
2019515620.tif 000009
2019515620.tif 000010
2019515620.tif 000011